(57)【特許請求の範囲】
【請求項１】
棚板上に横設した支持部材の前後片面側又は前後両面側の上下縁に、互いに間隔を設けて対向するように係止レールを設け、棚板上で奥行方向に配向する仕切部材の後端縁の上下全長に直角に保持板を形成するとともに、該保持板の一部に形成した切欠部に前記上下係止レールに側方からスライド係合する係合部を形成してなることを特徴とする収納棚の仕切装置。
【請求項２】
前記係合部は、前記保持板より後方へ突出状態で設けるとともに、前記支持部材の一端部又は両端部に前記係止レールが存在しない開放部を設け、該開放部において前記仕切部材の係合部を上下係止レールに係合し、支持部材に対して仕切部材を着脱自在に装着してなる請求項１記載の収納棚の仕切装置。
【請求項３】
前記仕切部材は、奥行方向に配向した仕切板の後端縁に前記保持板を折曲形成するとともに、該保持板の上下一部に切欠部を形成し、該切欠部の上下端に相当する保持板の端縁を後方へ略Ｕ字状に折曲して前記係合部を形成したものである請求項１又は２記載の収納棚の仕切装置。
【請求項４】
前記仕切部材は、奥行方向に配向した仕切板の後端縁に前記保持板を折曲形成するとともに、該保持板の上下一部に切欠部を形成し、該切欠部に相当する板片を保持板より後方位置で該保持板と平行に折曲し、該板片の上下縁を前記係合部としたものである請求項１又は２記載の収納棚の仕切装置。
【発明の詳細な説明】
【０００１】
【発明の属する技術分野】
本発明は、収納棚の仕切装置に係わり、更に詳しくは棚板上で仕切部材の横方向位置を自由に設定できるようになした収納棚の仕切装置に関するものである。
【０００２】
【従来の技術】
従来、収納棚の仕切装置は各種提供されている。例えば、棚板の上面に所定間隔毎にスリット孔を形成し、該スリット孔に仕切板の下端に設けた爪片を係合し、その係合位置を選択することで、仕切板の横方向位置を調節できるようにしたものがある。また、棚板のかまち部に仕切板の包持部を引っ掛けて横方向へスライド移動可能としたものもある。更には、ブックエンドタイプの収容物の重みで保持するものもある。
【０００３】
しかし、仕切板の下端に設けた爪片をスリット孔に係合する構造のものは、仕切板の横方向調節に自由度が少なく、また棚板に多数のスリット孔を加工する必要があり、コスト高となる。また、仕切板を棚板のかまち部に引っ掛ける構造のものは、棚板の前縁に見出しを取付けることが不可能になるといった問題がある。
【０００４】
また、棚板上の奥行方向中間に背当板を横設し、小さな収容物を棚板の前後両側を利用して収容できるようにした収納棚も提供されている。普通、収納物は棚板上に立てて収納するため、その背面の一部が背当板に当止されれば用を足すので、またコスト低減と外観性の観点から、背当板の上下寸法は収納物の高さより十分小さく設定されている。ところが、収納物を横向きに積み上げて収納することもあるが、その場合には前述の背当板に当止されない収納物も存在することになり、背当板の機能が全く発揮されない。
【０００５】
【発明が解決しようとする課題】
本発明が前述の状況に鑑み、解決しようとするところは、棚板上に収納物の背当板を兼ねた部材を横設した収納棚であって、該部材を利用して仕切部材を装着するとともに、仕切部材の横方向位置調節が自由に行えるとともに、収納物を横向きに積み上げて収納する場合であっても収納物の後方移動を規制することが可能な収納棚の仕切装置を提供する点にある。
【０００６】
【課題を解決するための手段】
本発明は、前述の課題解決のために、棚板上に横設した支持部材の前後片面側又は前後両面側の上下縁に、互いに間隔を設けて対向するように係止レールを設け、棚板上で奥行方向に配向する仕切部材の後端縁の上下全長に直角に保持板を形成するとともに、該保持板の一部に形成した切欠部に前記上下係止レールに側方からスライド係合する係合部を形成してなる収納棚の仕切装置を構成した。
【０００７】
また、前記係合部は、前記保持板より後方へ突出状態で設けるとともに、前記支持部材の一端部又は両端部に前記係止レールが存在しない開放部を設け、該開放部において前記仕切部材の係合部を上下係止レールに係合し、支持部材に対して仕切部材を着脱自在に装着してなることがより好ましい。
【０００８】
更に具体的には、前記仕切部材は、奥行方向に配向した仕切板の後端縁に前記保持板を折曲形成するとともに、該保持板の上下一部に切欠部を形成し、該切欠部の上下端に相当する保持板の端縁を後方へ略Ｕ字状に折曲して前記係合部を形成したものである。
【０００９】
あるいは、前記仕切部材は、奥行方向に配向した仕切板の後端縁に前記保持板を折曲形成するとともに、該保持板の上下一部に切欠部を形成し、該切欠部に相当する板片を保持板より後方位置で該保持板と平行に折曲し、該板片の上下縁を前記係合部としたものである。
【００１０】
【発明の実施の形態】
次に本発明の実施の形態を添付図面に基づき更に詳細に説明する。図１〜図６は、本発明に係る収納棚の仕切装置の実施形態を示し、図中符号１は支柱、２は棚板、３は棚受板、４は支持部材、５は仕切部材をそれぞれ示している。
【００１１】
本発明に係る収納棚は、図１〜図３に示すように、左右前後に立設した４本の支柱１，…に、棚板２を多段に棚受板３，３を用いて保持するとともに、前記棚板２上の奥行方向中間部に、左右の棚受板３，３間に着脱自在に取付けて支持部材４を横設し、該支持部材４に横方向スライド自在且つ着脱自在に単又は複数の仕切部材５，…を装着したものである。
【００１２】
そして、本発明は、前記棚板２上に横設した支持部材４の前後片面側又は前後両面側の上下縁に、互いに間隔を設けて対向するように係止レール６，６を設け、棚板２上で奥行方向に配向する仕切部材５の後端縁の上下全長に直角に保持板７を形成するとともに、該保持板７の一部に形成した切欠部８に前記上下係止レール６，６に側方からスライド係合する係合部９，９を形成したものである。
【００１３】
また、前記係合部９は、前記保持板７より後方へ突出状態で設けるとともに、前記支持部材４の一端部又は両端部に前記係止レール６，６が存在しない開放部１０を設け、該開放部１０において前記仕切部材５の係合部９を上下係止レール６，６に係合し、支持部材４に対して仕切部材５を着脱自在に装着することができるようにしている。
【００１４】
更に詳しくは、図４及び図５に示すように、前記支持部材４は、長尺のスチール板の上下縁を略Ｕ字状に折曲して係止レール６，６を形成し、両端にはフック１１，１１を形成し、一端部に前記係止レール６，６が存在しない開放部１０を設けたものである。また、前記支持部材４の前後両面側に係止レール６，６を設ける場合には、前述の支持部材４と同じ構造の構成部材を二つ用いて、それを背面合わせの状態で互いに溶接して形成する。本実施形態では、この前後両面側に係止レール６，６を設けた支持部材４を示している。この支持部材４の上下幅は、本実施形態で想定している収納物であるコンパクトディスク（ＣＤ）の一辺の長さよりも十分に狭く設定している。尚、前記係止レール６，６は、支持部材４を形成する板材の上下縁を折曲して形成したが、別部材に形成し、それを支持部材４に固着しても良い。
【００１５】
また、前記仕切部材５は、奥行方向に配向した仕切板１２の後端縁に前記保持板７を折曲形成するとともに、該保持板７の上下一部に切欠部８を形成し、該切欠部８の上下端に相当する保持板７，７の端縁を後方へ略Ｕ字状に折曲して前記係合部９，９を形成したものである。前記支持部材４の開放部１０の横幅は、前記仕切部材５の保持板７の横幅よりも若干広く設定し、この開放部１０の位置で仕切部材５の前記係合部９，９を支持部材４の係止レール６，６の端部からスライド係合できるようになっている。尚、前記係合部９，９は、前記保持板７の切欠部８の上下端を折曲して形成したが、該保持板７に切欠部８を設けずに、係合部９，９を設けた他の部材を保持板７に固着しても良い。
【００１６】
また、前記支柱１，１に棚受板３を取付け、該棚受板３で棚板２を支持する構造は従来のものと変わらない。つまり、前記支柱１の側面に上下方向に多数の係止孔１３，…を一定間隔毎に形成し、該係止孔１３，１３に棚受板３の両端部に外向きに形成したフック１４，１４を嵌合係止するとともに、該棚受板３の下縁に内向きに折曲形成した受片１５に前記棚板２の端部を載置している。また、前記支持部材４は、その端部に設けたフック１１，１１を前記棚受板３に形成したスリット孔１６，１６に嵌合係止して取付けている。ここで、前記棚受板３に複数対のスリット孔１６，１６を形成しておけば、そのスリット孔１６，１６を選択することで、前記支持部材４の奥行方向に対する取付位置を変更することができる。
【００１７】
そして、本発明では、前記支持部材４に開放部１０を設けたことにより、該支持部材４を左右の棚受板３，３間に装着した状態で、該支持部材４に対して仕切部材５を着脱自在に装着することができる。また、前記支持部材４の上下係止レール６，６に前記仕切部材５の係合部９，９を係合した状態で、該仕切部材５を横方向へスライドさせればその位置を簡単に調節することができる。
【００１８】
通常は、収納物は立てた状態で棚板２の上に収納するが、その場合には収納物の背面は、前記支持部材４に当止されて整然と収納することができる。い歩う、図６に示すように、ＣＤなどの多数の収納物１７，…を横倒し状態で積み重ねて棚板２の上面に収納する場合、大部分の収納物１７の背後には前記支持部材４が存在しないが、本発明では仕切部材５の上下全長にわたって保持板７を設けているので、全ての収納物１７，…の背面が該保持板７に当止されて整然と収納することが可能となる。
【００１９】
図７は、本発明の他の実施形態を示している。つまり、この仕切部材５は、奥行方向に配向した仕切板１２の後端縁に前記保持板７を折曲形成するとともに、該保持板７の上下一部に切欠部８を形成し、該切欠部８に相当する板片１８を保持板７より後方位置で該保持板７と平行に折曲し、該板片１８の上下縁を前記係合部９，９としたものである。この場合、前記板片１８の基部には、前記支持部材４の上下係止レール６，６を逃がすための幅狭の首部１９を形成している。
【００２０】
【発明の効果】
以上にしてなる請求項１に係る発明の収納棚の仕切装置は、棚板上に横設した支持部材の前後片面側又は前後両面側の上下縁に、互いに間隔を設けて対向するように係止レールを設け、棚板上で奥行方向に配向する仕切部材の後端縁の上下全長に直角に保持板を形成するとともに、該保持板の一部に形成した切欠部に前記上下係止レールに側方からスライド係合する係合部を形成してなるので、仕切部材の横方向位置調節が自由に行うことができるとともに、収納物を横向きに積み上げて収納する場合であっても収納物の後方移動を規制することができる。
【００２１】
請求項２によれば、支持部材を棚板上に横設した状態で、該支持部材に対して仕切部材を着脱自在に装着することができる。
【００２２】
請求項３及び４によれば、一枚の板材を切断、折曲加工するだけで仕切板、保持板及び保持部を有する仕切部材を安価に形成することができる。
【図面の簡単な説明】
【図１】本発明に係る収納棚の部分斜視図である。
【図２】同じく収納棚の一部を断面で示した部分正面図である。
【図３】同じく収納棚の縦断側面図である。
【図４】本発明の要部を示す分解斜視図である。
【図５】同じく本発明の要部の組立状態を示す斜視図である。
【図６】本発明の使用例を示す部分正面図である。
【図７】仕切部材の他の実施形態を示す斜視図である。
【符号の説明】
１  支柱
２  棚板
３  棚受板
４  支持部材
５  仕切部材
６  上下係止レール
７  保持板
８  切欠部
９  係合部
１０  開放部
１１  フック
１２  仕切板
１３  係止孔
１４  フック
１５  受片
１６  スリット孔
１７  収納物
１８  板片
１９  首部
【図１】
0003700594.tif 000002
【図２】
0003700594.tif 000003
【図３】
0003700594.tif 000004
【図４】
0003700594.tif 000005
【図５】
0003700594.tif 000006
【図６】
0003700594.tif 000007
【図７】
0003700594.tif 000008